(57)【要約】【課題】画像形成装置の内部の通気を確保すること。【解決手段】画像形成装置の本体（Ｕ１）の外表面を覆う第１の位置と、媒体（Ｓ）を支持し且つ画像形成装置の本体（Ｕ１）との間で媒体（Ｓ）を搬送可能な第２の位置と、の間で移動可能に支持された媒体の収容部（ＴＲ０）と、第１の位置において、媒体の収容部（ＴＲ０）の外部に露出する部位に形成された開口部（２１ａ，２２ａ）であって、第１の位置において、画像形成装置の本体（Ｕ１）の内部と媒体の収容部（ＴＲ０）の外部とを通気する開口部（２１ａ，２２ａ，４１）と、を備えた画像形成装置（Ｕ）。【選択図】図３
2014108869.tif 000002
【特許請求の範囲】
【請求項１】
媒体に画像を記録する画像記録部を有する画像形成装置の本体と、
前記画像形成装置の本体の外表面を覆う第１の位置と、前記画像形成装置の本体の外表面から離間して媒体を支持し且つ前記画像形成装置の本体との間で媒体を搬送可能な第２の位置と、の間で移動可能に支持された媒体の収容部と、
前記第１の位置において、前記媒体の収容部の外部に露出する部位に形成された開口部であって、前記第１の位置において、前記画像形成装置の本体の内部と前記媒体の収容部の外部とを通気する前記開口部と、
を備えたことを特徴とする画像形成装置。
【請求項２】
前記媒体の収容部に支持される媒体の厚さ方向において、前記媒体の収容部における外部に露出する部位に形成された前記開口部、
を備えたことを特徴とする請求項１に記載の画像形成装置。
【請求項３】
前記媒体の収容部に支持される媒体の幅方向において、前記媒体の収容部における外部に露出する部位に形成された前記開口部、
を備えたことを特徴とする請求項１または２に記載の画像形成装置。
【請求項４】
前記媒体の収容部に支持される媒体の幅方向に沿って移動可能に支持されて、前記媒体の幅方向の端部に接触して媒体を揃える揃え部材と、
前記第２の位置から前記第１の位置に前記媒体の収容部が移動する場合に、前記揃え部材を幅方向の外側に移動させる移動部材と、
を備えたことを特徴とする請求項１ないし３のいずれかに記載の画像形成装置。
【発明の詳細な説明】
【技術分野】
【０００１】
本発明は、画像形成装置に関する。
【背景技術】
【０００２】
複写機やプリンタ等の画像形成装置において、手差しトレイを備えた構成として、以下の特許文献１記載の技術が従来公知である。
【０００３】
特許文献１としての特開２０１２−１０３４４８号公報には、手差しトレイ（ＴＲｔ）が使用されない場合、手差しトレイ（ＴＲｔ）が画像形成装置の本体（Ｕ１ｂ）の内部に格納され、手差しトレイ（ＴＲｔ）外表面のみが露出した状態で保持される構成が記載されている。
【先行技術文献】
【特許文献】
【０００４】
【特許文献１】特開２０１２−１０３４４８号公報（図１）
【発明の概要】
【発明が解決しようとする課題】
【０００５】
本発明は、画像形成装置の内部の通気を確保することを技術的課題とする。
【課題を解決するための手段】
【０００６】
前記技術的課題を解決するために、請求項１に記載の発明の画像形成装置は、
媒体に画像を記録する画像記録部を有する画像形成装置の本体と、
前記画像形成装置の本体の外表面を覆う第１の位置と、前記画像形成装置の本体の外表面から離間して媒体を支持し且つ前記画像形成装置の本体との間で媒体を搬送可能な第２の位置と、の間で移動可能に支持された媒体の収容部と、
前記第１の位置において、前記媒体の収容部の外部に露出する部位に形成された開口部であって、前記第１の位置において、前記画像形成装置の本体の内部と前記媒体の収容部の外部とを通気する前記開口部と、
を備えたことを特徴とする。
【０００７】
請求項２に記載の発明は、請求項１に記載の画像形成装置において、
前記媒体の収容部に支持される媒体の厚さ方向において、前記媒体の収容部における外部に露出する部位に形成された前記開口部、
を備えたことを特徴とする。
【０００８】
請求項３に記載の発明は、請求項１または２に記載の画像形成装置において、
前記媒体の収容部に支持される媒体の幅方向において、前記媒体の収容部における外部に露出する部位に形成された前記開口部、
を備えたことを特徴とする。
【０００９】
請求項４に記載の発明は、請求項１ないし３のいずれかに記載の画像形成装置において、
前記媒体の収容部に支持される媒体の幅方向に沿って移動可能に支持されて、前記媒体の幅方向の端部に接触して媒体を揃える揃え部材と、
前記第２の位置から前記第１の位置に前記媒体の収容部が移動する場合に、前記揃え部材を幅方向の外側に移動させる移動部材と、
を備えたことを特徴とする。
【発明の効果】
【００１０】
請求項１に記載の発明によれば、本発明の開口部を有しない場合に比べて、画像形成装置の内部の通気を確保することができる。
請求項２に記載の発明によれば、媒体の厚さ方向に通気させることができる。
請求項３に記載の発明によれば、媒体の幅方向に形成された開口部から通気させることができる。
請求項４に記載の発明によれば、媒体の収容部を第１の位置に移動させるだけで、揃え部材を幅方向の外側に移動させることができ、揃え部材の位置がばらつく場合に比べて、通気が妨げられることを低減できる。
【図面の簡単な説明】
【００１１】
【図１】図１は実施例１の画像形成装置の全体説明図である。
【図２】図２は図１のトナー像の形成装置部分の要部拡大図である。
【図３】図３は実施例１の手差しトレイの説明図であり、図３Ａは手差しトレイの斜視図、図３Ｂは図３Ａの部分断面説明図である。
【図４】図４は実施例１の画像形成装置の説明図であり、手差しトレイが供給位置に移動した状態の説明図である。
【図５】図５は実施例１の画像形成装置の要部説明図であり、手差しトレイが取り外された状態の説明図である。
【図６】図６は実施例２の画像形成装置の説明図であり、実施例１の図１に対応する図である。
【図７】図７は実施例１の図３に対応する実施例２の手差しトレイの説明図であり、図７Ａは手差しトレイの斜視図、図７Ｂは図７Ａの部分断面説明図である。
【発明を実施するための形態】
【００１２】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１３】
図１は実施例１の画像形成装置の全体説明図である。
図１において、実施例１の画像形成装置の一例であって、設置具の一例としてのプリンタＵは、装置本体の一例としてのプリンタ本体Ｕ１を有する。プリンタ本体Ｕ１の上面には、第１の媒体の排出部の一例としての第１の排出トレイＴＲｈが設けられている。プリンタ本体Ｕ１の右部の上面には、操作部ＵＩが設けられている。操作部ＵＩは、図示しない表示部等を有する。操作部ＵＩは、利用者の入力操作が可能に構成されている。
実施例１のプリンタＵには、画像情報の送信装置の一例としてパーソナルコンピュータＰＣが電気的に接続されている。
【００１４】
プリンタＵは、制御部の一例としてのコントローラＣを有する。コントローラＣは、パーソナルコンピュータＰＣから送信された画像情報や制御信号等の電気信号を受信可能である。また、コントローラＣは、操作部ＵＩや電気回路Ｅに制御信号を出力可能に構成されている。さらに、コントローラＣは、書込回路ＤＬに電気的に接続されている。
書込回路ＤＬは、入力された情報に応じて駆動信号を書込装置の一例としての露光機ＲＯＳに出力する。露光機ＲＯＳは、入力された信号に応じて、書込光の一例としてのレーザ光Ｌを出力可能に構成されている。
【００１５】
図２は図１のトナー像の形成装置部分の要部拡大図である。
図１、図２において、前記露光機ＲＯＳの左方には、像保持体の一例としての感光体ＰＲが配置されている。実施例１の感光体ＰＲは、回転軸ＰＲａを中心に矢印方向に回転可能に支持されている。感光体ＰＲには、書込領域Ｑ１において、レーザー光Ｌが照射される。
感光体ＰＲの周囲には、感光体ＰＲの回転方向に沿って、帯電部材の一例としての帯電ロールＣＲと、現像装置Ｇと、像保持体用の清掃器の一例としての感光体クリーナＣＬとが配置されている。
なお、実施例１のプリンタＵでは、感光体ＰＲや帯電ロールＣＲ、現像装置Ｇ、感光体クリーナＣＬが一体的に着脱可能なユニット化されている。すなわち、感光体ＰＲや帯電ロールＣＲ、現像装置Ｇ、感光体クリーナＣＬは、プロセスユニットＵ２としてプリンタ本体Ｕ１に着脱可能に構成されている。
【００１６】
前記帯電ロールＣＲには、電気回路Ｅから帯電電圧が印加される。
現像装置Ｇは、内部に現像剤の一例としてのトナーを収容する現像容器Ｖを有する。現像容器Ｖの内部には、現像剤の保持体の一例としての現像ロールＧａが回転可能に支持されている。現像ロールＧａは、現像領域Ｑ２で感光体ＰＲと対向して配置される。
また、現像ロールＧａには、電源回路Ｅから現像電圧が印加される。また、現像容器Ｖの内部には、現像剤の搬送部材の一例としてのオーガＧｂ，Ｇｃが回転可能に支持されている。
【００１７】
前記現像容器Ｖには、プリンタＵに固定支持された現像剤の補給装置の一例としてのトナーの補給装置ＴＨ１の補給路の一端が接続されている。トナー補給装置ＴＨ１の補給路の他端は、現像剤の収容容器の一例としてのトナーカートリッジＴＣの排出口ＴＣ３に接続されている。
図１において、トナーカートリッジＴＣは、内部にトナーを収容する容器本体の一例としてのカートリッジ本体ＴＣ１を有する。カートリッジ本体ＴＣ１の内部には、現像剤の搬送部材の一例としてのトナー搬送部材ＴＣ２が回転可能に支持されている。前記トナーカートリッジＴＣは、プリンタＵに対して前後方向に挿抜することにより着脱可能に構成されている。
前記感光体ＰＲ、帯電ロールＣＲ、露光機ＲＯＳ、現像装置Ｇ等により、感光体ＰＲ上にトナー像を形成するトナー像の形成装置が構成されている。
【００１８】
図１において、プリンタＵの下部には、媒体収容部の一例としての給紙トレイＴＲ１〜ＴＲ４が複数設けられている。複数の給紙トレイＴＲ１〜ＴＲ４は、媒体の一例として記録用シートＳを収容している。
図１において、各トレイＴＲ１〜ＴＲ４の左右の両側には、容器の案内部材の一例としてのレールＲＬ１が配置されている。レールＲＬ１は、給紙トレイＴＲ１〜ＴＲ４の左右両端部を移動可能に支持する。したがって、左右一対のレールＲＬ１により各給紙トレイＴＲ１〜ＴＲ４は前後方向に出入可能に支持されている。
【００１９】
図１において、前記各給紙トレイＴＲ１〜ＴＲ４の左上部には、給紙装置Ｋが配置されている。前記給紙装置Ｋは、媒体の取出部材の一例としてのピックアップロールＲｐを有する。ピックアップロールＲｐの左方には、捌き部材の一例としての捌きロールＲｓが配置されている。捌きロールＲｓは、媒体の搬送部材の一例としてのフィードロールと媒体の分離部材の一例としてのリタードロールからなる。
給紙装置Ｋの左方には、媒体の搬送路の一例としての給紙路ＳＨ１が配置されている。給紙路ＳＨ１は、上方に向けて延びている。給紙路ＳＨ１には、媒体の搬送部材の一例としての搬送ロールＲａが複数配置されている。給紙路ＳＨ１の下流端である上端には、媒体の搬送時期の調整部材の一例としてのレジロールＲｒが配置されている。
【００２０】
また、プリンタＵの左側部には、手差し部の一例としての手差トレイＴＲ０が装着されている。手差しトレイＴＲ０の右部には、手差し用の搬送路の一例としての手差し路ＳＨ２の左端が接続されている。手差し路ＳＨ２の右端は、給紙路ＳＨ１に接続されている。
図１において、レジロールＲｒの上方には、転写装置の一例としての転写ロールＲｔが配置されている。転写ロールＲｔは、転写領域Ｑ３において、感光体ＰＲと対向、接触する。したがって、実施例１の転写ロールＲｔは、感光体ＰＲの回転に従動して回転する。転写ロールＲｔには、電源回路Ｅから転写電圧が印加される。
【００２１】
感光体ＰＲの回転方向に対して、転写ロールＲｔの下流側には、前記感光体クリーナＣＬが配置されている。感光体クリーナＣＬは、清掃部材の一例としてのクリーニングブレードＣＬ１を有する。クリーニングブレードＣＬ１は、板状に形成されている。クリーニングブレードＣＬ１は、一端部が感光体ＰＲに接触している。
クリーニングブレードＣＬ１の上方には、清掃容器の一例としてのクリーナ容器ＣＬ２が配置されている。クリーニングブレードＣＬ１は、クリーナ容器ＣＬ２に支持されている。クリーナ容器ＣＬ２の内部には、現像剤が収容可能な空間が形成されている。クリーナ容器ＣＬ２の内部には、現像剤の搬送部材の一例としての回収オーガＣＬ３が回転可能に支持されている。また、クリーナ容器ＣＬ２の前端部には、現像剤の搬送路の一例としての回収路ＣＬ４が支持されている。回収路ＣＬ４は、感光体クリーナＣＬから現像装置Ｇまで延びている。
【００２２】
図１において、転写ロールＲｔの上方には、定着装置Ｆが支持されている。定着装置Ｆは、加熱定着部材の一例としての加熱ロールＦｈと、加圧定着部材の一例としての加圧ロールＦｐとを有する。加熱ロールＦｈと加圧ロールＦｐとは、定着領域Ｑ４において接触する。加熱ロールＦｈには、図示しない駆動源から駆動が伝達されて回転する。また、加熱ロールＦｈには、電気回路Ｅから、図示しないヒータを加熱するための電力が供給される。
前記トナー像の形成装置Ｕ２と、転写ロールＲｔ、定着装置Ｆにより、シートＳに画像を記録する画像記録部Ｕ２＋Ｒｔ＋Ｆが構成されている。
【００２３】
定着装置Ｆの上部には、媒体の案内部の一例としてのシートガイドＦ１が形成されている。シートガイドＦ１の右方には、媒体の排出部材の一例としての排紙ロールＲ１が配置されている。排紙ロールＲ１の右方には、媒体の排出口Ｈａが形成されている。媒体の排出口Ｈａの下方には、第１の排出トレイＴＲｈが配置されている。
図１において、定着装置Ｆの上方且つ排紙ロールＲ１の左方には、媒体の搬送路の一例としての接続路ＳＨ３が配置されている。接続路ＳＨ３は、排出口Ｈａから左方に延びている。
【００２４】
プリンタＵの本体Ｕ１の左側面には、手差しトレイＴＲ０の上方に、媒体の反転装置の一例としての反転ユニットＵ３が支持されている。反転ユニットＵ３の内部には、媒体の搬送路の一例としての反転路ＳＨ４が形成されている。反転路ＳＨ４の上端は、接続路ＳＨ３の左端に接続されている。反転路ＳＨ４の下端は、レジロールＲｒの上流側において、給紙路ＳＨ１に合流している。
また、前記反転ユニットＵ３の上部には、媒体の搬送路の一例としての第２の排出路ＳＨ６が形成されている。第２の排出路ＳＨ６は、右端が接続路ＳＨ３に接続されており、反転路ＳＨ４から分岐している。第２の排出路ＳＨ６の左端は、反転ユニットＵ３の左側面まで延びている。反転ユニットＵ３の左側面には、第２の排出部の一例としてのフェイスアップトレイＴＲｈ１が支持されている。したがって、第２の排出路ＳＨ６を通過したシートＳは、フェイスアップトレイＴＲｈ１に排出可能に構成されている。
【００２５】
（画像形成装置の機能）
前記構成を備えた実施例１のプリンタＵでは、パーソナルコンピュータＰＣから送信された画像情報は、コントローラＣに入力される。コントローラＣは、入力された画像情報を予め設定された時期に潜像形成用の情報に変換して、書込回路ＤＬに出力する。露光機ＲＯＳは、書込回路ＤＬが受信した信号に基づいたレーザ光Ｌを出力する。なお、コントローラＣは、操作部ＵＩ、書込回路ＤＬ、電源回路Ｅ等の動作を制御する。
図１、図２において、感光体ＰＲの表面は、帯電電圧が印加される帯電ロールＣＲにより帯電される。帯電ロールＣＲで帯電された感光体ＰＲの表面には、書込位置Ｑ１において露光機ＲＯＳのレーザ光Ｌにより露光、走査されて静電潜像が形成される。静電潜像が形成された感光体ＰＲ表面は、現像領域Ｑ２、転写領域Ｑ３を順次通過する。
【００２６】
現像領域Ｑ２において、感光体ＰＲに現像ロールＧａが対向している。現像ロールＧａは、現像容器Ｖの内部の現像剤を表面に保持して回転する。したがって、現像ロールＧａの表面に保持されたトナー像により、感光体ＰＲの表面の静電潜像は、可視像の一例としてのトナー像に現像される。現像容器Ｖの内部の現像剤は、オーガＧｂ，Ｇｃにより撹拌されながら循環される。
現像ロールＧａによる現像に伴って、現像容器Ｖの内部の現像剤が消費されると、トナーカートリッジＴＣから現像剤が補給される。すなわち、現像剤の消費量に応じて、トナー搬送部材ＴＣ２が回転駆動してカートリッジ本体ＴＣ１内のトナーを、排出口ＴＣ３に搬送する。排出口ＴＣ３から排出されたトナーは、カートリッジトナー補給装置ＴＨ１の補給経路内の図示しない補給用搬送部材により現像容器Ｖに搬送される。
【００２７】
トレイＴＲ１〜ＴＲ４には、画像が記録されるシートＳが収容されている。トレイＴＲ１〜ＴＲ４に収容されたシートＳは、給紙装置ＫのピックアップロールＲｐにより取出される。ピックアップロールＲｐで取り出されたシートＳは、さばきロールＲｓにより１枚ずつ分離される。さばきロールＲｓで分離されたシートＳは、給紙路ＳＨ１に給紙される。給紙路ＳＨ１のシートＳは、搬送ロールＲａにより、レジロールＲｒに向けて搬送される。
なお、前記手差トレイＴＲ０から給紙されたシートＳは、手差搬送路ＳＨ２を通じて、レジロールＲｒに搬送される。レジロールＲｒに搬送されたシートＳは、感光体ＰＲ表面のトナー像が転写領域Ｑ３に移動する時期に合わせて、レジロールＲｒにより転写領域Ｑ３に搬送される。
【００２８】
転写領域Ｑ３において、転写電圧が印加された転写ロールＲｔにより、転写領域Ｑ３を通過するシートＳに、感光体ＰＲの表面のトナー像が転写される。
図２において、転写領域Ｑ３を通過後の感光体ＰＲは、クリーニングブレードＣＬ１により、表面に付着したトナーが除去されて清掃される。クリーニングブレードＣＬ１で除去されたトナーは、クリーナ容器ＣＬ２に回収される。クリーナ容器ＣＬ２に回収されたトナーは、回収オーガＣＬ３で搬送される。回収オーガＣＬ３で搬送されたトナーは、回収路ＣＬ４を通じて、現像容器Ｖの内部に戻される。すなわち、感光体クリーナＣＬで回収された現像剤は、現像装置Ｇで再使用される。
感光体クリーナＣＬにより表面が清掃された感光体ＰＲは、帯電ロールＣＲにより再び帯電される。
【００２９】
転写領域Ｑ３においてトナー像が転写されたシートＳは、トナー像が未定着の状態で定着装置Ｆの定着領域Ｑ４に搬送される。
定着領域Ｑ４では、シートＳは、加熱ロールＦｈと加圧ロールＦｐとに挟まれて、トナー像が加熱定着される。
定着装置Ｆでトナー像が定着されたシートＳは、シートガイドＦ１に案内されて、排紙ロールＲ１に搬送される。シートＳが第１の排出トレイＴＲｈに排出される場合には、
排紙ロールＲ１に送られたシートＳは、排出口Ｈａから第１の排出トレイＴＲｈに排出される。
【００３０】
両面印刷時には、一面目に画像が記録されたシートＳは、搬送方向の後端がシートガイドＦ１を通過した状態で、排紙ロールＲ１が逆回転する。したがって、シートＳは、接続路ＳＨ３を通じて、反転路ＳＨ４に搬送される。反転路ＳＨ４を搬送されたシートＳは、表裏が反転した状態で、前記レジロールＲｒに搬送される。したがって、レジロールＲｒから転写領域Ｑ３に再送されて、二面目の画像が記録される。
シートＳが、フェイスアップトレイＴＲｈ１に排出される場合、排紙ロールＲ１の逆回転で接続路ＳＨ３を搬送されるシートＳが、第２の排出路ＳＨ６に搬入される。そして、第２の排出路ＳＨ６を搬送されたシートＳは、フェイスアップトレイＴＲｈ１に排出される。
【００３１】
（手差しトレイの説明）
図３は実施例１の手差しトレイの説明図であり、図３Ａは手差しトレイの斜視図、図３Ｂは図３Ａの部分断面説明図である。
図１，図３において、実施例１の媒体の収容部の一例としての手差しトレイＴＲ０は、収容部の本体の一例としてのトレイの本体１を有する。トレイの本体１は、板状に形成されている。図３において、トレイの本体１は、媒体の積載部の一例としての積載プレート２を有する。積載プレート２の上面には、シートＳの積載面３が形成されている。
積載プレート２の右部には、揃え部材の支持部の一例としてのガイドのスライド部４が形成されている。ガイドのスライド部４は、積載面３よりも窪んだ形状に形成されている。ガイドのスライド部４は、前後一対形成されている。
【００３２】
各ガイドのスライド部４には、揃え部材の案内部の一例としてのガイド溝６が形成されている。各ガイド溝６は、積載プレート２を上下方向に貫通し且つ前後方向に延びている。なお、実施例１のガイド溝６では、前側のガイド溝６ａは、後側のガイド溝６ｂに対して、右側にずれた位置に形成されている。
また、各ガイドのスライド部４には、開口部の一例としての通気口７が形成されている。実施例１の通気口７では、前側の通気口７ａは、前側のガイド溝６ａの左側、且つ、後側のガイド溝６ｂの前方に配置されている。通気口７ａは、前後方向に間隔をあけて一対配置されている。また、後側の通気口７ｂは、後側のガイド溝６ｂの右側、且つ、前側のガイド溝６ａの後方に配置されている。通気口７ｂも、前後方向に間隔をあけて一対配置されている。
【００３３】
積載プレート２の下方には、外部に露出する部位の一例としての底面プレート１１が配置されている。底面プレート１１は、積載プレート２に対向して配置されている。底面プレート１１の前後、左右の端には、上方に延びる側壁部１２が形成されている。図３Ｂにおいて、底面プレート１１には、積載面３に対応する位置に、補強部の一例としてのリブ１３が形成されている。リブ１３は、左右方向に延び且つ底面プレート１１から上方に延びている。
リブ１３の右端には、案内部の一例としての第１のガイドリブ１４が形成されている。第１のガイドリブ１４は、前後方向に延び且つ底面プレート１１から上方に延びている。第１のガイドリブ１４の右方には、案内部の一例としての第２のガイドリブ１６が形成されている。第２のガイドリブ１６は、前後方向に延び且つ底面プレート１１から上方に延びている。第２のガイドリブ１６は、第１のガイドリブ１４に対して、左右方向に予め設定された間隔をあけて並行に配置されている。実施例１の第２のガイドリブ１６は、前後方向の中央部に、途切れ部１６ａが形成されている。
【００３４】
第２のガイドリブ１６の右方には、案内部の一例としての第３のガイドリブ１７が形成されている。第３のガイドリブ１７は、第２のガイドリブ１６に対して、左右方向に予め設定された間隔をあけて並行に配置されている。また、第３のガイドリブ１７は、第２のガイドリブ１６と同様に構成されている。したがって、実施例１の第３のガイドリブ１７は、前後方向の中央部に、途切れ部１７ａが形成されている。
第３のガイドリブ１７の右方には、案内部の一例としての第４のガイドリブ１８が形成されている。第４のガイドリブ１８は、第３のガイドリブ１７に対して、左右方向に予め設定された間隔をあけて並行に配置されている。また、第４のガイドリブ１８は、第１のガイドリブ１４と同様に構成されている。
【００３５】
図３Ｂにおいて、第１のガイドリブ１４と第２のガイドリブ１６との間には、移動部材の収容部の一例としての第１のスライド空間２１が形成されている。また、第３のガイドリブ１７と第４のガイドリブ１８との間にも、移動部材の収容部の一例としての第２のスライド空間２２が形成されている。
前記第１のスライド空間２１の底面には、前側の通気口７ａに対応する位置に、開口部の一例としての前側の吸気口２１ａが形成されている。また、第２のスライド空間２２の底面にも、後側の通気口７ｂに対応する位置に、開口部の一例としての後側の吸気口２２ａが形成されている。各吸気口２１ａ，２２ａは、底面プレート１１を貫通して、手差しトレイＴＲ０の外部に露出している。
【００３６】
各スライド空間２１，２２には、可動部材の一例としてのスライダ２３，２４が収容されている。各スライダ２３，２４は、各ガイドリブ１４〜１８に沿って前後方向に移動可能に支持されている。
左側のスライダ２３の右側面には、歯車部の一例としてのラック歯２３ａが形成されている。左側のスライダ２３の左側面には、ガタつきの除去部の一例としての接触アーム２３ｂが形成されている。接触アーム２３ｂは、板バネ状に形成されている。接触アーム２３ｂは、前後方向に沿って、複数配置されている。接触アーム２３ｂは、第１のガイドリブ１４に対して、予め設定された接触圧で接触して、スライダ２３の移動時のガタつきを除去可能に構成されている。
【００３７】
右側のスライダ２４は、左側のスライダ２３と前後対称に配置されているだけで、同様に構成されている。したがって、右側のスライダ２４の左側面には、歯車部の一例としてのラック歯２４ａが形成されている。右側のスライダ２４の右側面には、接触アーム２３ｂと同様に構成された接触アーム２４ｂが形成されている。
底面プレート１１には、途切れ部１６ａ，１７ａに対応する位置に、歯車部材の一例としてのピニオンギア２５が回転可能に支持されている。ピニオンギア２５は、各スライダ２３，２４のラック歯２３ａ，２４ａに噛み合っている。したがって、スライダ２３，２４は、ラック歯２３ａ、２４ａおよびピニオンギア２５を介して、前後方向に対して互いに接近離間する方向に、連動して移動可能に支持されている。
【００３８】
左側のスライダ２３の後端部には、揃え部材の一例としての後側のサイドガイド２６が支持されている。後側のサイドガイド２６は、底部の一例としての底板部２６ａを有する。底板部２６ａの下面は、図示しない連結部材の一例としてのネジで左側のスライダ２３に連結されている。ネジは後側のガイド溝６ｂを通じて連結される。底板部２６ａの後端には、揃え部の一例としてのガイド本体２６ｂが形成されている。ガイド本体２６ｂは、上方に延びる板状に形成されている。
右側のスライダの前端部には、揃え部材の一例としての前側のサイドガイド２７が支持されている。前側のサイドガイド２７は、後側のサイドガイド２６と前後対称に配置されているだけで同様に構成されている。
手差しトレイＴＲ０の前端部および後端部には、被支持部の一例としてのアーム部２８が形成されている。アーム部２８の右端部には、回転中心の一例としての回転軸２８ａが形成されている。回転軸２８ａは、前後方向の外方に突出する円筒状に形成されている。
【００３９】
図４は実施例１の画像形成装置の説明図であり、手差しトレイが供給位置に移動した状態の説明図である。
図５は実施例１の画像形成装置の要部説明図であり、手差しトレイが取り外された状態の説明図である。
図１、図４、図５において、反転ユニットＵ３には、収容部の一例としての収納空間３１が形成されている。実施例１の収納空間３１は、図１に示すように、手差しトレイＴＲ０の一部分が収容可能に構成されている。収納空間３１には、アーム部２８の回転軸２８ａに対応する位置に、支持部の一例としての丸孔３１ａが形成されている。回転軸２８ａは、丸孔３１ａに回転可能に支持されている。したがって、実施例１の手差しトレイＴＲ０は、第１の位置の一例としての図１に示す収納位置と、第２の位置の一例としての供給位置と、の間で移動可能に支持されている。
【００４０】
図５において、実施例１の収納空間３１には、開口部の一例としての露出口３２が形成されている。露出口３２は、手差しトレイＴＲ０が収納位置に移動した場合の通気口７ａ，７ｂに対向する位置に配置されている。露出口３２は、手差しトレイＴＲ０が供給位置に移動した場合に、外部に露出するように構成されている。露出口３２は、プリンタ本体Ｕ１の内部に通じており、プリンタ本体Ｕ１の内部と外部とを通気可能に構成されている。
露出口３２の下方には、揃え部材の移動部材の一例としての開放ガイド３３が配置されている。開放ガイド３３は、サイドガイド２６，２７に対応する位置に配置されている。開放ガイド３３は、傾斜面３３ａを有する。傾斜面３３ａは、前後方向の中央部から前後方向の両側に行くに連れて右方に傾斜して形成されている。
開放ガイド３３の下方には、手差し路ＳＨ２の入口３４が形成されている。
【００４１】
（実施例１の手差しトレイの作用）
前記構成を備えた実施例１のプリンタＵでは、手差しトレイＴＲ０が使用される場合には、図４に示すように、手差しトレイＴＲ０が供給位置に移動される。そして、手差しトレイＴＲ０の積載面３にシートＳが積載される。積載面３に積載されたシートＳは、画像形成動作に伴って、プリンタ本体Ｕ１の内部に供給される。
ここで、手差しトレイＴＲ０が供給位置に移動した状態では、露出口３２が外部に露出している。したがって、露出口３２や手差し路ＳＨ２の入口３４を通じて、プリンタＵの内部に外気を導入可能になっている。よって、転写領域Ｑ３での放電や定着装置Ｆの加熱、各種部材の回転に伴う発熱等で、プリンタＵの内部が昇温しても、外気で冷却したり、浮遊する物体を図示しないフィルター等で回収可能である。
【００４２】
手差しトレイＴＲ０が使用されない場合に、図１に示すように、手差しトレイＴＲ０が、プリンタ本体Ｕ１の外表面を覆う収納位置に移動される場合がある。ここで、従来のように、手差しトレイＴＲ０に、吸気口２１ａ，２２ａや通気口７ａ，７ｂが設けられない構成では、手差しトレイＴＲ０が収納位置に移動して、プリンタの本体Ｕ１の外表面が覆われると、露出口３２が塞がれてしまう。露出口３２が塞がれると、プリンタの本体Ｕ１の内部に外気を導入することが困難になる。外気が導入されなくなると、プリンタＵの内部の異常昇温や浮遊する物体の汚れで、画質が低下したり、各部材の寿命が短くなったりする恐れがある。
【００４３】
特に、近年、画像形成装置が小型化、省スペース化すると共に、内部に実装される部品も高密度化されている。また、手差しトレイＴＲ０もプリンタの本体Ｕ１や反転ユニットＵ３から張り出す形ではなく、埋め込まれるように設計されることが増えている。したがって、画像形成装置において、外気を導入する露出口の位置を自由に設定することが困難になってきている。
これに対して、実施例１では、手差しトレイＴＲ０が収納位置に移動した状態でも、露出口３２に対して、通気口７ａ，７ｂや吸気口２１ａ，２２ａが対向する。したがって、手差しトレイＴＲ０が収納位置に移動した状態でも、プリンタＵの内部に外気を導入しやすくなっている。よって、プリンタＵの内部の異常昇温や浮遊する物体の悪影響を低減することが可能である。
【００４４】
また、実施例１では、収納空間３１に開放ガイド３３が設けられている。開放ガイド３３が設けられていない場合、手差しトレイＴＲ０から供給されたシートＳの大きさによっては、サイドガイド２６，２７の底板部２６ａ，２７ａが通気口７ａ，７ｂの一部または全部を塞いだ状態で、手差しトレイＴＲ０が収納位置に移動する場合がある。この状態では、プリンタＵの内部への通気が確保されにくくなる。
これに対して、実施例１では、手差しトレイＴＲ０が供給位置から収納位置に移動する際に、開放ガイド３３がサイドガイド２６，２７のガイド本体２６ｂ，２７ｂに接触する。開放ガイド３３に接触したガイド本体２６ｂ，２７ｂは、手差しトレイＴＲ０が収納位置に移動するに連れて、傾斜面３３ａに沿って前後方向の外側に移動する。したがって、収納位置に手差しトレイＴＲ０が移動した状態では、図３Ａに示すようにサイドガイド２６，２７が前後方向の外側に開いた状態となる。よって、通気口７ａ，７ｂがサイドガイド２６，２７に塞がれることが防止される。したがって、通気が確実に確保可能である。
【実施例２】
【００４５】
次に、本発明の実施例２の説明をするが、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
図６は実施例２の画像形成装置の説明図であり、実施例１の図１に対応する図である。
図７は実施例１の図３に対応する実施例２の手差しトレイの説明図であり、図７Ａは手差しトレイの斜視図、図７Ｂは図７Ａの部分断面説明図である。
図６、図７において、実施例２の手差しトレイＴＲ０′では、前後の側壁部１２に、開口部の一例としての吸気口４１が形成されている。図６において、実施例２の吸気口４１は、手差しトレイＴＲ０が収納位置に移動した状態において、側壁部１２の外部に露出する部位に形成されている。また、図７Ｂにおいて、実施例２の吸気口４１は、スライド空間２１，２２に対応する位置に形成されている。
【００４６】
（実施例２の手差しトレイの作用）
前記構成を備えた実施例２のプリンタＵでは、吸気口２１ａ，２２ａだけでなく、側壁部１２に形成された吸気口４１からも通気可能である。したがって、実施例２のプリンタＵでも、実施例１と同様に、プリンタＵの内部の異常昇温等を低減することが可能である。
【００４７】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ07）を下記に例示する。
（Ｈ01）前記実施例において、画像形成装置の一例としてのプリンタを例示したが、これに限定されず、複写機、ＦＡＸ等の画像形成装置にも適用可能である。また、単色、いわゆるモノクロの画像形成装置を例示したが、これに限定されず、多色、いわゆるフルカラーの画像形成装置似も適用可能である。
【００４８】
（Ｈ02）前記実施例において、媒体の収容部の一例としての手差しトレイＴＲ０を例示したが、これに限定されない。例えば、媒体が搬送されて排出される排出トレイにおいて、手差しトレイＴＲ０と同様に、収納位置と、媒体が排出される位置との間で移動可能な排出トレイに適用可能である。具体的には、フェイスアップトレイＴＲｈ１が、手差しトレイＴＲ０と同様に構成されている場合には、フェイスアップトレイＴＲｈ１に本発明の構成を適用可能である。
（Ｈ03）前記実施例において、通気口７ａ，７ｂや吸気口２１ａ，２２ａ，４１、露出口３２の位置や数、形状は、実施例に例示した構成に限定されない。すなわち、設計や仕様等に応じて任意に変更可能である。他にも、開口を１つのみとしたり、逆に、多数の小さな孔で構成することも可能である。また、開口部分に、埃の進入を防止するための網、メッシュ、フィルター等を装着することも可能である。さらに、気流を整流したり、外光が内部に進入することを抑制するための整流板、ルーバーを配置したりすることも可能である。
【００４９】
（Ｈ04）前記実施例において、吸気口２１ａ，２２ａ，４１の位置は、実施例１，２に記載の構成に限定されない。例えば、側壁部１２にのみ設ける構成とすることも可能である。
（Ｈ05）前記実施例において、手差しトレイＴＲ０は、側壁部１２の一部が外部に露出し、他部が収納空間３１に収納される構成を例示したが、これに限定されない。例えば、側壁部１２の全体が収納空間３１に収納されたり、逆に、側壁部１２の全体が外部に露出する構成とすることも可能である。なお、このとき、吸気口は、外部に露出する部位に配置する必要がある。
（Ｈ06）前記実施例において、収納空間３１が画像形成装置の本体の一例としての反転ユニットＵ３に設けられた構成を例示したが、これに限定されず、プリンタ本体Ｕ１に設ける構成としたり、反転ユニットＵ３がプリンタ本体Ｕ１に一体形成されたプリンタＵに適用することも可能である。
【００５０】
（Ｈ07）前記実施例において、開放ガイド３３を設けることが望ましいが、これに限定されない。例えば、通気口を多数形成しておき、サイドガイド２６，２７がどの位置にあっても、全ての通気口が塞がれないようにすることも可能である。また、例えば、サイドガイド２６，２７の一方のみが移動可能な構成として、移動不能な側の近くに通気口を配置する等、任意の変更が可能である。
【符号の説明】
【００５１】
２１ａ，２２ａ，４１…開口部、
２６，２７…揃え部材、
３３…移動部材、
Ｓ…媒体、
ＴＲ０…媒体の収容部、
Ｕ…画像形成装置、
Ｕ１…画像形成装置の本体、
Ｕ２＋Ｒｔ＋Ｆ…画像記録部。
【図１】
2014108869.tif 000003
【図２】
2014108869.tif 000004
【図３】
2014108869.tif 000005
【図４】
2014108869.tif 000006
【図５】
2014108869.tif 000007
【図６】
2014108869.tif 000008
【図７】
2014108869.tif 000009